(57)【要約】【課題】  本発明は、外枠と中枠とイス台から成り、前記外枠は、後方から洋式便器を収納する空間を有し、前記中枠は、鉛直に位置する部材の上方にクランクを軸とする中枠滑車を有し、前記イス台は、背もたれ上方にイス台滑車を有し、前記クランクを操作して前記イス台を昇降する、中枠付多機能車椅子において、イス台を外枠に掛止する方法と外枠後方縦棒の拡開を防止する装置を提供する。【手段】  座台の左側と右側の水平棒下方に操作棒掛止環を接続し、操作棒の左側と右側の棒を摺動自在に貫通接続し、左側と右側の棒に掛止突片を接続し、掛止突片下面に囲い片を設け、囲い片の内側に遊間嵌合する支持棒を、鉛直に立設して外枠に接続し、外枠の右側縦棒下方に阻止棒接続し、左側縦棒下方の阻止棒掛止突片に掛止する。【選択図】  図２
2013052014.tif 000002
【特許請求の範囲】
【請求項１】
外枠と中枠とイス台から成り、前記外枠は、後方から洋式便器を収納する空間を後部内に有し、前記中枠は水平枠と鉛直枠からなり、鉛直枠の上方にクランクを軸とする中枠滑車を着脱自在に接続し、前記イス台は座台と背もたれからなり、背もたれ上方にイス台滑車を着脱自在に接続し、前記中枠滑車と前記イス台滑車を有する状態では前記クランクを操作して前記イス台を前記外枠内に収納し、または、前記中枠滑車と前記イス台滑車を有しない状態では、前記中枠と前記イス台が略水平状態において前記イス台を滑動して該イス台を前記外枠内に収納する、いずれかの中枠付多機能車椅子において、前記座台の左側水平棒下方および右側水平棒下方に複数の環を接続して操作棒掛止環とし、コ形状部材の開放端を後方とし、閉鎖端を前方として、前記操作棒掛止環に、前記コ形状部材の左側棒と右側棒をそれぞれ摺動自在に順次貫通して接続して、操作棒とし、該操作棒の左側棒と右側棒の任意の位置に、外側に突出して複数の突片を接続して、掛止突片とし、該掛止突片上面の前記操作棒前方側端に上方に突出して突片を設けて、上方突片とし、該掛止突片上面と相対する前記座台の左側水平棒外側および右側水平棒外側に、複数の突片を列置接続して、受け棒とし、前記掛止突片の下面に、下方へ突出して円形形状または多角形形状の突縁を設け、囲い片とし、該囲い片の内側に遊間嵌合する円形形状または多角形形状の棒形状部材を、鉛直に立設して支持棒とし、該支持棒は、前記外枠の左側水平棒内側と右側水平棒内側に支持棒接続板を介して接続固定し、前記支持棒上面と前記囲い片内側が遊間嵌合掛止した際、同時に前記掛止突片上面に前記受け棒の下面が掛合して、前記掛止突片を介して前記支持棒が前記受け棒を掛止固定して前記座台を固定し、
前記上方突片に前方の前記受け棒が掛合して、前記イス台が前方へ滑動するのを防止して、前記イス台がイス状態を維持し、前記イス台がイス状態において、前記クランクを操作し前記囲い片下端より上方に前記支持棒上面が位置するまで前記イス台を上昇して、前記掛止突片と前記受け棒との掛合を解き、前記操作棒を前方へ操作して前記掛止突片を前方へ滑動し、前記クランクを操作して前記イス台を下降して外枠内に収納し、また、前記囲い片下端が前記支持棒上面より上方に位置するまで前記イス台を上昇し、前記支持棒上面と前記掛止突片の間に間隙を設け、前記操作棒を後方へ操作して、前記間隙に前記掛止突片を滑入し、前記クランクを操作して前記イス台を下降し、前記掛止突片を介して前記受け棒と前記支持棒を掛合して固定すると、前記囲い片の内側に前記支持棒上方端が嵌合し、前記掛止突片の滑動を防止し、また、前記イス台滑車と前記中枠滑車を有しない状態では、前記水平枠の接続部近傍の、右側縦棒と左側縦棒の前記鉛直枠上面に、上方に突出して突片を接続し、イス台掛止突片とし、前記イス台と前記中枠が略水平状態において、前記座台を鉛直にして、前記掛止突片と前記支持棒との掛合を解き、前記イス台を前記水平枠方向へ滑動しイス台掛止突片に前記座台を掛止した後、前記鉛直枠を鉛直にすると、前記イス台を外枠内に収納した状態になり、また、該イス台を外枠内に収納した状態で前記鉛直枠を略水平にして、該イス台を前記鉛直枠方向へ滑動した後、前記座台を略水平にして、前記掛止突片と前記支持棒を掛合すると、略水平のベッド状態となり、前記外枠後部の左側縦棒下方または右側縦棒下方のいずれかに、棒形状部材の基部を回転自在に接続して阻止棒とし、前記阻止棒の他方端に欠切を設け、前記外枠後部の、左側縦棒下方または右側縦棒下方のいずれかに、後方に突出して突片を設け阻止棒掛止突片とし、前記阻止棒掛止突片に前記欠切を掛止して、前記外枠後部の、左側縦棒下方と右側縦棒下方の拡開を阻止する、ことを特徴とする、イス台掛止装置および外枠拡開防止装置。
【請求項２】
前記イス台滑車はイス台の背もたれ上方に着脱自在に接続し、前記中枠滑車は前記鉛直枠上方に着脱自在に接続し、前記イス台滑車と前記中枠滑車を紐形状部材で接続し、前記中枠滑車を定滑車、前記イス台滑車を動滑車として作用させ、前記イス台を昇降し、該イス台を外枠内に収納したりイス状態にする、ことを特徴とする、請求項１に記載の、イス台掛止装置および外枠拡開防止装置。          
【発明の詳細な説明】
【技術分野】
【０００１】
中枠付多機能車椅子のイス台を、簡単な構造と簡単な操作で容易に、掛止したり、掛止を解いたりし、イス状態において、イス台が前方へ滑動するのを防止し、外枠後ろ縦棒の拡開を防止し、滑車を着脱する装置に関するものである。
【背景技術】
【０００２】
従来、外枠と中枠とイス台から成る中枠付多機能車椅子の、イス台の掛止方法は、外枠の左側および右側の上部水平棒と下部水平棒との間に内側に突出した、板形状部材から成る被係止突片を回転自在に接続し、当該被係止突片外側に操作棒を接続した構造で、
【０００３】
イス台を構成する座台の左側水平棒と右側水平棒の直下縁面を、前記被掛止突片上面と掛合して保持し、掛合を解く際は、前記座台をわずかに上昇させ、前記操作棒を操作して、前記被掛止突片を扇状に回転させ、前記外枠の左側水平棒と右側水平棒の直下に位置することが知られている。（特許文献１参照）
【特許文献１】特許第４７０６００９号公報
【発明の開示】
【発明が解決しようとする課題】
【０００４】
そのため以下のような課題があった。
イス台の搭乗者体重に耐えうるため、被掛止突片を頑丈な形状にする必要があり、被掛止突片を頑丈にした結果重量が増し、前記被掛止突片複数を、前記操作棒で操作し、扇状に円滑に回転させるのが困難となり、さらに、操作中に被掛止突片と外枠との接続部が外れてしまう危険があり、
【０００５】
また、イス台の搭乗者体重で、前記外枠後方の左右縦棒下方が拡開し、前記被掛止突片と外枠との接続部がさらに外れやすくなり危険であった。
また、中枠を水平状態から鉛直状態にする際に滑車の重量で労力を必要とした。本発明は、以上の問題点を解決するためになされたものである。
【課題を解決するための手段】
【０００６】
請求項１の発明は、外枠と中枠とイス台から成り、前記外枠は、後方から洋式便器を収納する空間を後部内に有し、前記中枠は水平枠と鉛直枠からなり、鉛直枠の上方にクランクを軸とする中枠滑車を着脱自在に接続し、前記イス台は座台と背もたれからなり、背もたれ上方にイス台滑車を着脱自在に接続し、前記中枠滑車と前記イス台滑車を有する状態では前記クランクを操作して前記イス台を前記外枠内に収納し、
【０００７】
または、前記中枠滑車と前記イス台滑車を有しない状態では、前記中枠と前記イス台が略水平状態において前記イス台を滑動して該イス台を前記外枠内に収納する、いずれかの中枠付多機能車椅子において、前記座台の左側水平棒下方および右側水平棒下方に複数の環を接続して操作棒掛止環とし、コ形状部材の開放端を後方とし、閉鎖端を前方として、前記操作棒掛止環に、前記コ形状部材の左側棒と右側棒をそれぞれ摺動自在に順次貫通して接続して、
【０００８】
操作棒とし、該操作棒の左側棒と右側棒の任意の位置に、外側に突出して複数の突片を接続して、掛止突片とし、該掛止突片上面の前記操作棒前方側端に上方に突出して突片を設けて、上方突片とし、該掛止突片上面と相対する前記座台の左側水平棒外側および右側水平棒外側に、複数の突片を列置接続して、受け棒とし、前記掛止突片の下面に、下方へ突出して円形形状または多角形形状の突縁を設け、
【０００９】
囲い片とし、該囲い片の内側に遊間嵌合する円形形状または多角形形状の棒形状部材を、鉛直に立設して支持棒とし、該支持棒は、前記外枠の左側水平棒内側と右側水平棒内側に支持棒接続板を介して接続固定し、前記支持棒上面と前記囲い片内側が遊間嵌合掛止した際、同時に前記掛止突片上面に前記受け棒の下面が掛合して、前記掛止突片を介して前記支持棒が前記受け棒を掛止固定して前記座台を固定し、
【００１０】
前記上方突片に前方の前記受け棒が掛合して、前記イス台が前方へ滑動するのを防止して、前記イス台がイス状態を維持し、前記イス台がイス状態において、前記クランクを操作し前記囲い片下端より上方に前記支持棒上面が位置するまで前記イス台を上昇して、前記掛止突片と前記受け棒との掛合を解き、前記操作棒を前方へ操作して前記掛止突片を前方へ滑動し、前記クランクを操作して前記イス台を下降して外枠内に収納し、また、前記囲い片下端が前記支持棒上面より上方に位置するまで前記イス台を上昇し、前記支持棒上面と前記掛止突片の間に間隙を設け、前記操作棒を後方へ操作して、
【００１１】
前記間隙に前記掛止突片を滑入し、前記クランクを操作して前記イス台を下降し、前記掛止突片を介して前記受け棒と前記支持棒を掛合して固定すると、前記囲い片の内側に前記支持棒上方端が嵌合し、前記掛止突片の滑動を防止し、また、前記イス台滑車と前記中枠滑車を有しない状態では、前記水平枠の接続部近傍の、右側縦棒と左側縦棒の前記鉛直枠上面に、上方に突出して突片を接続し、イス台掛止突片とし、前記イス台と前記中枠が略水平状態において、
【００１２】
前記座台を鉛直にして、前記掛止突片と前記支持棒との掛合を解き、前記イス台を前記水平枠方向へ滑動しイス台掛止突片に前記座台を掛止した後、前記鉛直枠を鉛直にすると、前記イス台を外枠内に収納した状態になり、また、該イス台を外枠内に収納した状態で前記鉛直枠を略水平にして、該イス台を前記鉛直枠方向へ滑動した後、前記座台を略水平にして、前記掛止突片と前記支持棒を掛合すると、略水平のベッド状態となり、前記外枠後部の左側縦棒下方または右側縦棒下方のいずれかに、棒形状部材の基部を回転自在に接続して阻止棒とし、前記阻止棒の他方端に欠切を設け、前記外枠後部の、
【００１３】
左側縦棒下方または右側縦棒下方のいずれかに、後方に突出して突片を設け阻止棒掛止突片とし、前記阻止棒掛止突片に前記欠切を掛止して、前記外枠後部の、左側縦棒下方と右側縦棒下方の拡開を阻止する。
請求項２の発明は、  前記イス台滑車はイス台の背もたれ上方に着脱自在に接続し、前記中枠滑車は前記鉛直枠上方に着脱自在に接続し、前記イス台滑車と前記中枠滑車を紐形状部材で接続し、前記中枠滑車を定滑車、前記イス台滑車を動滑車として作用させ、前記イス台を昇降し、該イス台を外枠内に収納したりイス状態にする。
【発明の効果】
【００１４】
イス状態において、座台の左側および右側の水平棒外側の任意箇所に、複数の受け棒を列置して接続し、受棒下面を掛止突片で掛止するため、掛止面が広くなり確実な掛止となり、また、掛止突片下面に設けた囲い片の内側に、支持棒上方面を遊間嵌合し、同時に、上方突片に前方の受け棒を掛合して、搭乗者の体重で座台を掛止突片と支持棒に圧下するため、座台が前方へ滑動するのを防止出来る。
【００１５】
また、受け棒と支持棒との掛合を解くには、ハンドルを操作してイス台をわずかに上昇させ、操作棒を操作して、受け棒と支持棒間の掛止突片を滑動させるだけであり、また、上方突片は前方の受け棒より、前方に位置するため、掛止突片を前方へ滑動して受け棒と掛止突片の掛合を解くのを阻害せず、軽微な労力で動かすことが可能となる。
また、イス台を下降し外枠内に収納する際は、受け棒と受け棒で、支持棒を挟んだ状態で座台が摺動するので、座台が前後に滑動するのを防止でき、また、左右への滑動は座台が外枠の内側に位置するため、外枠の左側上方水平棒と右側上方水平棒で防止できる。
【００１６】
また、本発明に軽体重者が搭乗する際は、イス台滑車と中枠滑車を接続しない状態で用い、イス台と中枠を略水平にしてイス台を水平枠方向に滑動し、上方突片に座台下面を掛止した後、鉛直枠を鉛直にしてイス台を外枠内に収納するため、滑車製造費用が不要になり、また、鉛直枠が軽量になって鉛直枠を水平位置から鉛直位置へ変更する労力が減少できる。
【発明を実施するための最良の形態】
【００１７】
以下、本発明の実施の形態を図により説明する。
【実施例１】
【００１８】
図１は本発明の、組立て途中の図で、図２は本発明の、組立てたイス状態の図で、図３は本発明の、組立てたベッド状態の図で、図４（A）に示すように、座台６の左側下縁および右側下方に操作棒掛止環２０を接続し、
【００１９】
操作棒掛止環２０に、操作棒５の左側棒と右側棒をそれぞれ貫通接続し、操作棒５の左側棒と右側棒に、掛止突片４を接続し、それぞれの掛止突片４の下面に囲い片１９を設け、上方突片２７を掛止突片４の前方端に設け、
座台６外側に、受け棒３を接続し、
【００２０】
（B）に示すように、支持棒接続板１６で外枠Cに固定した支持棒１１上面は囲い片１９の内側に遊間嵌合し、同時に前記掛止突片４上面に前記受け棒３の下面が掛合して、掛止突片４を介して支持棒１１が座台６を掛止固定し、
上方突片２７と前方の受け棒３が係合し、座台６が前方へ滑動するのを防止し、図２に示すようにイス台Aがイス状態を維持し、
【００２１】
図１１に示すように、
中枠Bおよびイス台Aに貫通孔２４を設け、中枠滑車８およびイス台滑車２に凹ネジ孔２３を設け、凸ネジ２５で中枠Bに中枠滑車８を着脱自在に接続し、凸ネジ２５でイス台Aにイス台滑車２を着脱自在に接続し、図２に示すように、中枠滑車８とイス台滑車２は紐１７で接続し、中枠滑車８を定滑車に台滑車２を動滑車に作用させ、クランク９を操作して、
【００２２】
図９（B）に示すように、囲い片１９下端より下方に、支持棒１１上面が位置するまで座台６を上昇し、支持棒１１と掛止突片４の掛合を解き、図９（C）に示すように、操作棒５を操作して、掛止突片４を前方へ滑動し、図２に示すクランク９を操作して、図７（B）に示すように、座台６を下降し、同時に、支持棒１１は受け棒３と受け棒３の間に滑入し、座台６の前後への滑動を防止し、
【００２３】
また、図２に示すクランク９を操作して、図９（B）に示すように、囲い片１９下端が支持棒１１上面より上方に位置するまで座台６を上昇して間隙を設け、操作棒５を操作して、支持棒１１と受け棒３の間隙に、掛止突片４を滑入した後、
【００２４】
図２に示すクランク９を操作して、座台６を下降し、図９（A）に示すように、受け棒３と掛止突片４と支持棒１１を掛合して固定し、囲い片１９と、上方突片２７により掛止突片４の滑動と、イス台Aの滑動を防止する。
【００２５】
図８（A）に示すように、欠切１５を設けた阻止棒１３を外枠後部右側縦棒下方２１に接続し、外枠後部左側縦棒下方２２に阻止棒掛止突片１４を接続し、欠切１５を阻止棒掛止突片１４に掛止して固定し、搭乗者の体重で外枠後部右側縦棒下方２１と、外枠後部左側縦棒下方２２が拡開するのを阻止し、
【００２６】
（B）に示すように、阻止棒掛止突片１４と欠切１５の掛合を解き、阻止棒１３を外枠Cより鉛直方向の外へ転回し、外枠C後方より洋式便器Dを外枠C内に収納する。
【実施例２】
【００２７】
イス台滑車２と中枠滑車８を有しない状態で、図１０（A）に示すように、イス台Aと中枠Bを略水平のベッド状態にして、（B）に示すように座台６を鉛直にして固定し、掛止突片４と支持棒１１との掛合を解き、（C）に示すようにイス台Aを水平枠１０方向へ滑動し、イス台掛止突片２６にイス台Aを掛止し、
【００２８】
た後、（D）に示すように鉛直枠７を鉛直にすると、イス台Aが外枠C内にイス台Aを収納した状態になり、また、外枠C内にイス台Aを収納した状態で、（C）に示すように、鉛直枠７を略水平のベッド状態にして、（B）に示すように、イス台Aを鉛直枠７方向へ滑動した後、座台６を略水平にして、掛止突片４と支持棒１１を掛合し、鉛直枠７を鉛直にすると、図２に示すようにイス状態となる。
【図面の簡単な説明】
【００２９】
【図１】本発明の組立て途中の斜視図
【図２】本発明の全体斜視図
【図３】本発明のベッド状態の横視図
【図４】本発明の（A）は、イス台掛止装置の下からの完成斜視図、（B）は左前方の支持棒で支持する状態の斜視図
【図５】本発明のベッド状態で座台を掛止した前視図
【図６】本発明の（A）は、イス台を掛止突片で掛止した状態、（B）は掛止突片を滑動し開放した状態の上視図
【図７】本発明の（A）は、掛止突片で座台を掛止した状態、（B）は掛止突片を滑動して掛止を解き座台を下降途中の斜視図
【図８】本発明の（A）は、阻止棒と阻止棒掛止突片の掛合状態を示す後視図、（B）は阻止棒と阻止棒掛止突片の掛合を解き様式便器を外枠内に収納した後視図
【図９】本発明の（A）は、座台を支持棒で掛止した状態、（B）は座台と支持棒の掛止を開放した状態、（C）は掛止突片を前方へ滑動した状態の斜視図
【図１０】本発明の（A）は、ベッド状態で座台を立てた状態、（B）はイス台を下方へ滑動した状態、（C）は鉛直枠を鉛直にした斜視図
【図１１】本発明のイス台滑車を背もたれに中枠滑車を鉛直枠に、接続する途中の斜視図
【図１２】本発明の（A）は、前方端を上方へ突出してL形状に曲成した上方突片と、下面に方形形状の囲い片を有する掛止突片の斜視図、（B）は前方端を上方へ突出してL形状に曲成した上方突片と、下面に円形形状の囲い片を有する掛止突片の斜視図、（C）は前方端に上方へ突出して上方突片を接続し、下面に方形形状の囲い片を有する掛止突片の斜視図、（D）は前方端に上方へ突出して上方突片を接続し、下面に円形形状の囲い片を有する掛止突片の斜視図
【符号の説明】
【００３０】
A  イス台
B  中枠
C  外枠
D  洋式便器、
１  背もたれ
２  イス台滑車
３  受け棒
４  掛止突片
５  操作棒
６  座台
７  鉛直枠
８  中枠滑車
９  クランク
１０  水平枠
１１  支持棒
１２  外枠後ろ横棒
１３  阻止棒
１４  阻止棒掛止突片
１５  欠切
１６  支持棒接続板
１７  紐
１８  蝶番
１９  囲い片
２０  操作棒掛止環
２１  外枠後部右側縦棒下方
２２  外枠後部左側縦棒下方
２３  凹ネジ孔
２４  貫通孔
２５  凸ネジ
２６  イス台掛止突片
２７  上方突片
【図１】
2013052014.tif 000003
【図２】
2013052014.tif 000004
【図３】
2013052014.tif 000005
【図４】
2013052014.tif 000006
【図５】
2013052014.tif 000007
【図６】
2013052014.tif 000008
【図７】
2013052014.tif 000009
【図８】
2013052014.tif 000010
【図９】
2013052014.tif 000011
【図１０】
2013052014.tif 000012
【図１１】
2013052014.tif 000013
【図１２】
2013052014.tif 000014